【事件の表示】
　特願２００２−　２６０１７「テープファスナを備えた使い捨て着用物品」拒絶査定不服審判事件〔平成１５年　９月　２日出願公開，特開２００３−２４５３０７〕について，次のとおり審決する。
【結　論】
　本件審判の請求は，成り立たない。
【理　由】
第１．手続の経緯 
　本願は，平成１４年２月１日の出願であって，平成２０年２月２９日付けで拒絶査定がなされ，これに対し，同年３月２６日付けで拒絶査定不服審判請求がなされるとともに，同年４月８日付けで明細書を対象とする補正がなされたものである。
　
第２．平成２０年４月８日付けの手続補正についての却下の決定
〔補正の却下の決定の結論〕
　平成２０年４月８日付けの手続補正（以下，「本件補正」という）を却下する。
　
〔理由〕
１．本件補正
　本件補正は，平成２０年１月３０日付けで補正された明細書をさらに補正するものであり，特許請求の範囲については次のように補正するものである。
　
〈本件補正前の特許請求の範囲〉
　「【請求項１】使い捨て着用物品がその物品着用者の肌と向かい合う第１表面と着衣と向かい合う第２表面とを有し，前記第２表面には粘着性のテープファスナが取り付けられており，前記テープファスナを形成しているテープは，長さ方向で対向する自由端部と固定端部とを有し，前記固定端部が前記第２表面に剥離不能に接合するとともに，前記自由端部を摘持して前記固定端部から前記自由端部へ向かう方向へ伸展し得るように畳まれ，伸展したときに前記第２表面と向かい合う前記テープの内面の一部分に粘着剤が塗布されているテープファスナを備えた使い捨て着用物品において，前記テープファスナを形成しているテープは，畳まれて上方に位置し，長さ方向に前記自由端部とこの自由端部に対向する第１端部とを有する第１テープと，前記第１テープの下方に位置して前記第２表面と向かい合い，前記固定端部とこの固定端部に対向するとともに前記第１テープに対して前記第１端部でつながる第２端部とを有する第２テープとからなり，前記第１テープは前記内面に前記粘着剤が塗布されて前記下方に位置する前記第２テープに剥離可能に接合するとともに，前記第１端部には前記自由端部から前記第１端部へ向かう方向へ前記第２テープの前記第２端部を越えて延びる延出部が含まれていて前記延出部が前記第２表面に剥離可能に接合しており，前記第２テープにおいて前記第１テープの内面が剥離可能に接合している部位は，その部位と向かい合う前記第２表面に接合していない域を有し，前記第２表面に接合していない域は前記第２表面から離れて上方へ移動可能な状態にあることを特徴とする前記使い捨て着用物品。
　【請求項２】前記第２テープと前記第２表面との間には，ほぼ全体が前記第２表面に剥離不能に接合している第３テープが介在し，前記固定端部が前記第３テープを介して前記第２表面に接合した状態にある請求項１記載の使い捨て着用物品。
　【請求項３】前記第１テープに含まれる延出部が前記第３テープを介して前記第２表面に剥離可能に接合している請求項１または２記載の使い捨て着用物品。
　【請求項４】前記使い捨て着用物品が使い捨ておむつであって，前記おむつが前胴周り域と，後胴周り域と，これら両胴周り域の間に位置する股下域とを有し，前記股下域には吸収性コアを備え，前記両胴周り域が互いの側縁部において連結されていて胴周り開口と一対の脚周り開口とが形成されているパンツ型のものであり，前記両胴周り域いずれかの前記側縁部における前記第２表面に前記第２テープの固定端部がその第２テープの長さ方向を前記おむつの胴周り方向に一致させた状態で接合している請求項１〜３のいずれかに記載の使い捨て着用物品。
　【請求項５】前記使い捨ておむつが前記コアの縁部から外方へ延出するシート材料によって形成されたフラップを有し，前記第２テープ固定端部が前記フラップにおける前記第２表面に接合している請求項４記載の使い捨て着用物品。
　【請求項６】前記第２表面を形成しているシートのうちで畳まれた前記テープファスナの直下に位置しているシート部分および前記シート部分に前記シート部分とは別体のシートが重なり互いに接合することにより形成されている積層状態のシート部分いずれかの曲げ剛さが（０．０３〜０．７）×１０−４Ｎ・ｍ２／ｍである請求項１〜５のいずれかに記載の使い捨て着用物品。」
　
〈本件補正後の特許請求の範囲〉
　「【請求項１】使い捨て着用物品がその物品着用者の肌と向かい合う第１表面と着衣と向かい合う第２表面とを有し，前記第２表面には粘着性のテープファスナが取り付けられており，前記テープファスナを形成しているテープは，長さ方向で対向する自由端部と固定端部とを有し，前記固定端部が前記第２表面に剥離不能に接合するとともに，前記自由端部を摘持して前記固定端部から前記自由端部へ向かう方向へ伸展し得るように畳まれ，伸展したときに前記第２表面と向かい合う前記テープの内面の一部分に粘着剤が塗布されているテープファスナを備えた使い捨て着用物品において，前記テープファスナを形成しているテープは，畳まれて上方に位置し，長さ方向に前記自由端部とこの自由端部に対向する第１端部とを有する頂部テープと，前記頂部テープの下方に位置し前記固定端部とこの固定端部に対向するとともに前記頂部テープに対して前記第１端部でつながる第２端部とを有する中間部テープと，前記中間部テープの下方に位置するとともに前記第２表面と向かい合って前記第２表面に剥離不能に接合する底部テープとを含み，前記固定端部は前記底部テープに向かい合う部分と，前記第２表面に向かい合う部分とを含み，これら部分のそれぞれにおいて剥離不能に接合し，前記頂部テープは前記内面に前記粘着剤が塗布されて前記下方に位置する前記中間部テープに剥離可能に接合するとともに，前記第１端部には前記自由端部から前記第１端部へ向かう方向へ前記中間部テープの前記第２端部を越えて延びる延出部が含まれていて前記延出部が前記第２表面に剥離可能に接合しており，前記中間部テープにおいて前記頂部テープの内面が剥離可能に接合している部位は，その部位と向かい合う前記底部テープに接合していない域を有し，前記底部テープに接合していない域は前記第２表面から離れて上方へ移動可能な状態にあることを特徴とする前記使い捨て着用物品。
　【請求項２】前記頂部テープに含まれる延出部が前記底部テープを介して前記第２表面に剥離可能に接合している請求項１記載の使い捨て着用物品。
　【請求項３】前記使い捨て着用物品が使い捨ておむつであって，前記おむつが前胴周り域と，後胴周り域と，これら両胴周り域の間に位置する股下域とを有し，前記股下域には吸収性コアを備え，前記両胴周り域が互いの側縁部において連結されていて胴周り開口と一対の脚周り開口とが形成されているパンツ型のものであり，前記両胴周り域いずれかの前記側縁部における前記第２表面に前記中間部テープの固定端部がその中間部テープの長さ方向を前記おむつの胴周り方向に一致させた状態で接合している請求項１または２記載の使い捨て着用物品。
　【請求項４】　前記使い捨ておむつが前記コアの縁部から外方へ延出するシート材料によって形成されたフラップを有し，前記中間部テープ固定端部が前記フラップにおける前記第２表面に接合している請求項３記載の使い捨て着用物品。
　【請求項５】　前記第２表面を形成しているシートのうちで畳まれた前記テープファスナの直下に位置しているシート部分および前記シート部分に前記シート部分とは別体のシートが重なり互いに接合することにより形成されている積層状態のシート部分いずれかの曲げ剛さが（０．０３〜０．７）×１０−４Ｎ・ｍ２／ｍである請求項１〜４のいずれかに記載の使い捨て着用物品。」
　
２．目的要件
　本件補正前の請求項１に係る発明は，「前記第１テープの下方に位置して前記第２表面と向かい合」う「第２テープ」を備えるとともに，「前記第２テープにおいて前記第１テープの内面が剥離可能に接合している部位は，その部位と向かい合う前記第２表面に接合していない域を有」するものであり，同請求項を引用する請求項２〜６に係る発明も，これと同じ構成要件を備える。ところが，本件補正後の請求項１には，該構成要件について記載されていない。本件補正後の請求項１の「頂部テープ」及び「中間部テープ」が，本件補正前の請求項１の「第１テープ」及び「第２テープ」にそれぞれ対応するとしても，本件補正後の請求項１に「前記中間部テープにおいて前記頂部テープの内面が剥離可能に接合している部位は，その部位と向かい合う前記底部テープに接合していない域を有し，」と記載されていることからすれば，中間部テープは，第２表面と向かい合うのではなく，底部テープと向かい合うものである。
　また，本件補正後の請求項１に追加された「前記固定端部は前記底部テープに向かい合う部分と，前記第２表面に向かい合う部分とを含み，これら部分のそれぞれにおいて剥離不能に接合し，」は，補正前の請求項１に記載した発明を特定するために必要な事項を限定したものとはいえない。
　したがって，本件補正は特許請求の範囲の減縮を目的とするものではない。
　
３．むすび
　以上のとおりであるから，本件補正は，平成１８年法律第５５号改正附則第３条第１項によりなお従前の例によるとされる同法による改正前の特許法第１７条の２第４項の規定に違反するので，同法１５９条第１項の規定において読み替えて準用する同法第５３条第１項の規定により却下すべきものである。
　
第３．本願発明
　本件補正は上記のとおり却下されたので，本願の請求項１に係る発明（以下，「本願発明」という。）は，平成２０年１月３０日付けで補正された特許請求の範囲の請求項１に記載された事項により特定される，以下のとおりのものである。
　
　「使い捨て着用物品がその物品着用者の肌と向かい合う第１表面と着衣と向かい合う第２表面とを有し，前記第２表面には粘着性のテープファスナが取り付けられており，前記テープファスナを形成しているテープは，長さ方向で対向する自由端部と固定端部とを有し，前記固定端部が前記第２表面に剥離不能に接合するとともに，前記自由端部を摘持して前記固定端部から前記自由端部へ向かう方向へ伸展し得るように畳まれ，伸展したときに前記第２表面と向かい合う前記テープの内面の一部分に粘着剤が塗布されているテープファスナを備えた使い捨て着用物品において，前記テープファスナを形成しているテープは，畳まれて上方に位置し，長さ方向に前記自由端部とこの自由端部に対向する第１端部とを有する第１テープと，前記第１テープの下方に位置して前記第２表面と向かい合い，前記固定端部とこの固定端部に対向するとともに前記第１テープに対して前記第１端部でつながる第２端部とを有する第２テープとからなり，前記第１テープは前記内面に前記粘着剤が塗布されて前記下方に位置する前記第２テープに剥離可能に接合するとともに，前記第１端部には前記自由端部から前記第１端部へ向かう方向へ前記第２テープの前記第２端部を越えて延びる延出部が含まれていて前記延出部が前記第２表面に剥離可能に接合しており，前記第２テープにおいて前記第１テープの内面が剥離可能に接合している部位は，その部位と向かい合う前記第２表面に接合していない域を有し，前記第２表面に接合していない域は前記第２表面から離れて上方へ移動可能な状態にあることを特徴とする前記使い捨て着用物品。」
　
第４．引用刊行物
　原審の拒絶の理由に引用され，本願の出願日前に頒布された特開平１０−８５２５４号公報（以下，「引用刊行物１」という。）には，図面とともに，次の事項が記載されている。
（イ）
　「【発明の属する技術分野】この発明は，使い捨ておむつや生理用ナプキン，吸尿パッドなどの使い捨ての体液吸収性着用物品に関し，より詳しくは，該物品を着用したり廃棄したりするときに該物品を所要の形状に保持することが可能な形状保持手段を有する該物品に関する。」（段落【０００１】）
（ロ）
　「図１に部分破断斜視図で示された使い捨ておむつ１は，パンツ型のものであって，熱可塑性合成繊維からなる不織布性の透液性内面シート２と，熱可塑性合成樹脂フィルム製の不透液性外面シート３と，これら両シート間に介在する吸液性コア４とによって構成され，」（段落【００１２】）
　「図２は，図１のＣ−Ｃ線部分断面図であって，外面シート３の外面には，熱可塑性合成樹脂フィルム製の剥離用シート１０がホットメルト接着剤（図示せず）を介して固着され，フィルム１０の外面に廃棄処理手段１６が位置している。」（段落【００１３】）
　「廃棄処理手段１６は，互いに重なり合って並行する第１帯状片１７と第２帯状片１８とによって構成されている。第１帯状片１７は，外面シート３と向かい合う内面２６とその裏面側である外面２７とを有し，おむつ１の上下方向に第１端部（上端部）２１と，第２端部（下端部）２２と，第１，２端部間に位置する第１中間部２３とを有する。第１端部２１は，その内面２６がホットメルト接着剤２４を介して剥離用シート１０に固着される一方，第２端部２２は，その外面２７が第２帯状片１８の後記内面２８に固着され，第１中間部２３は自由な変形が可能である。第２帯状片１８は，第１帯状片１７と向かい合う内面２８とその裏面側である外面２９とを有し，第１帯状片１７の第１端部２１から延出してその先に位置する第３端部（上端部）３３と，第２端部２２から延出してその先に位置する第４端部（下端部）３４と，第３，４端部間に位置する第２中間部３６とを有する。第３端部３３には内外面２８，２９が非粘着性の先端摘持部３７と，摘持部３７に隣接する部位の内面２８に粘着剤３８が塗布された第１粘着域４１とが形成されている。第４端部３４の内面２８には第２粘着剤３９が塗布された第２粘着域４２が形成されている。これら第１，２粘着域４１，４２は，剥離用シート１０に剥離可能に接着されている。」（段落【００１４】）
　「このように構成されたおむつ１では，第２帯状片１８の摘持部３７を持って矢印Ａ方向へ引っ張ると，第１，２粘着域４１，４２が剥離用シート１０から剥れ，第１，２帯状片１７，１８が仮想線のように一条となって長く延びる（図１を併せて参照）。」（段落【００１５】）
（ハ）
　「図３は，廃棄処理手段１６を使用して丸められたおむつ１の斜視図である。汚れたおむつ１は，胴周り開口部１１から股下域８へ向かって上から下へと丸められた後に，長く延びた第１，２帯状片１７，１８が巻きつけられ，第１粘着域４１が外面シート３の適宜の部位に接着される。」（段落【００１６】）
　「また，この発明における形状保持手段には，前記物品を廃棄するときに丸めたり，折り畳んだりするために使用する廃棄処理手段の他に，前記物品を着用するときに使用するテープファスナが含まれる。」（段落【００２０】）
　
　上記記載事項（イ）〜（ハ）及び図面の記載によれば，引用刊行物１には，次の発明（以下，「引用発明」という）が記載されているといえる。
　「廃棄するときまたは着用するときに使用する形状保持手段を有する使い捨ての体液吸収性着用物品であって，内面シート２，外面シート３及び両シート間に介在する吸液性コア４によって構成される体液吸収性着用物品の外面シート３の外面に剥離用シート１０が固着され，形状保持手段は，互いに重なり合って並行する第１帯状片１７と第２帯状片１８とによって構成され，第１帯状片１７は，第１端部２１が接着剤２４を介して剥離用シート１０に固着され，第２端部２２が第２帯状片１８に固着されるものであり，第２帯状片１８は，第１帯状片１７の第１端部２１から延出する第３端部３３と第１帯状片１７の第２端部２２から延出する第４端部３４を有し，第３端部３３には先端摘持部３７及びこれに隣接する部位の内面に粘着剤３８が塗布された第１粘着域４１が形成され，第４端部３４の内面には第２粘着剤３９が塗布された第２粘着域４２が形成され，第１粘着域４１及び第２粘着域４２は剥離用シート１０に剥離可能に接着されており，摘持部３７を持って第２帯状片１８を所定方向へ引っ張ると，第１粘着域４１及び第２粘着域４２が剥離用シート１０から剥れて，第１帯状片１７及び第２帯状片１８が一条となって長く延び，第１粘着域４１が外面シート３の適宜の部位に接着され得るようにした使い捨ての体液吸収性着用物品。」
　
　同じく原審の拒絶の理由に引用され，本願の出願日前に頒布された特表平８−５０７６９９号公報（以下，「引用刊行物２」という。）には，図面とともに，次の事項が記載されている。
（ニ）
　「好ましい手段は，図８Ｃに示されるような，三つの部分がＺ字状に折り曲げられている接着テープタブである。接着テープタブ７０は，第一セクション７１，第二セクション７２，および第三セクション７３からなる。第一セクション７１は，感圧接着手段７５により胴体２０に止め付けられており，またその一方の端は，同じ感圧接着手段７５により第二セクション７２の一方の端に止め付けられている。第二セクション７２は，そのもう一方の端で，当業者に良く知られている感圧接着手段７９により第三セクション７３に止め付けられている。第二セクション７２は，第三セクション７３と面する表面に剥離手段７７を有することがでる。第三セクションと感圧接着手段７９との接着力は中程度である。適当な剥離手段７７は，シリコン塗膜，またはポリエチレンでできた剥離ライナーである。剥離手段７７は，感圧接着手段７９と相溶性のある，第三セクション７３に面する表面上に設けた接着力の低い感圧接着剤であってもよい。このことは，接着力の低い感圧接着手段７７を接着手段７９に接着しても，接着手段７７と７９のそれぞれの接着性を有意に変化させずにそれらを剥離することができるということを意味する。おむつを留めるために使用する前に，第二セクション７２を，接着力のより低い塗膜８１により，別に第一セクション７１に取り付ける。
　Ｚ字に折り曲げられたこのテープタブ７０を使用するためには，使用者が，テープタブの第三セクション７３の８２の部分を引き上げて広げる。これにより第三セクション７３が第二セクション７２から引き剥がされ，それにより第二セクション７２が折り目７８で広げられて第一セクション７１から引き剥がされ，それにより折り目７６で折り曲げられていた第一セクション７１が広げられる。この後，第一セクション７１，第二セクション７２，および第三セクション７３のそれぞれの接着手段７５，７７，および７９を，広げられたテープタブ７０と，巻き上げられたおむつの胴体２０の外側の着衣に面する表面とを留め付けるのに用いることができる。」
（３７頁５行〜３８頁２行）　
（ホ）図８Ｃを参照すると，第３セクション７３と第２セクション７２は，第３セクション７３の下面に設けられた接着手段７９と第２セクション７２の上面に設けられた剥離手段７７を介して剥離可能に重ね合わされること，第２セクションの下面と第１セクション７１との間には接合されない域が設けられることが理解される。
　
第５．対比・判断
　本願発明と引用発明とを対比する。
　引用発明の「内面シート２」，「第２帯状片１８」，「第１帯状片１７」，「第３端部３３」，「第１端部２１」，「第４端部３４」，「第２端部２２」，「形状保持手段」及び「使い捨ての体液吸収性着用物品」は，それぞれ本願発明の「着用者の肌と向かい合う第１表面」，「第１テープ」，「第２テープ」，「自由端部」，「固定端部」，「第１端部」，「第２端部」，「テープファスナ」及び「使い捨て着用物品」に相当し，引用発明の「剥離用シート１０」は，外面シート３の外面に固着されて外面シート３と一体化された部材であり，これに形状保持手段が取り付けられるものであるから，「外面シート３」とともに，本願発明の「第２表面」に相当するといえる。また，引用発明は，第１帯状片１７及び第２帯状片１８が一条となって長く延びるようにしたときに，第１粘着域４１が外面シート３の適宜の部位に接着され得るようにしたものであるから，本願発明の「伸展したときに前記第２表面と向かい合う前記テープの内面の一部分に粘着剤が塗布されている」との要件を備える。さらに，引用発明は，第２帯状片１８が第１帯状片１７の第２端部２２から延出する第４端部３４を有し，該第４端部３４に形成された第２粘着域４２が剥離用シート１０に剥離可能に接着されるものであるから，本願発明の「前記第１端部には前記自由端部から前記第１端部へ向かう方向へ前記第２テープの前記第２端部を越えて延びる延出部が含まれていて前記延出部が前記第２表面に剥離可能に接合しており」との要件を備える。
　したがって，本願発明と引用発明は，
　「使い捨て着用物品がその物品着用者の肌と向かい合う第１表面と着衣と向かい合う第２表面とを有し，前記第２表面には粘着性のテープファスナが取り付けられており，前記テープファスナを形成しているテープは，長さ方向で対向する自由端部と固定端部とを有し，前記固定端部が前記第２表面に剥離不能に接合するとともに，前記自由端部を摘持して前記固定端部から前記自由端部へ向かう方向へ伸展し得るように畳まれ，伸展したときに前記第２表面と向かい合う前記テープの内面の一部分に粘着剤が塗布されているテープファスナを備えた使い捨て着用物品において，前記テープファスナを形成しているテープは，畳まれて上方に位置し，長さ方向に前記自由端部とこの自由端部に対向する第１端部とを有する第１テープと，前記第１テープの下方に位置して前記第２表面と向かい合い，前記固定端部とこの固定端部に対向するとともに前記第１テープに対して前記第１端部でつながる第２端部とを有する第２テープとからなり，前記第１端部には前記自由端部から前記第１端部へ向かう方向へ前記第２テープの前記第２端部を越えて延びる延出部が含まれていて前記延出部が前記第２表面に剥離可能に接合していることを特徴とする前記使い捨て着用物品。」
である点で一致し，次の点で相違する。
　
（相違点）
　本願発明では，第１テープは内面に粘着剤が塗布されて第２テープに剥離可能に接合するとともに，第２テープにおいて第１テープの内面が剥離可能に接合している部位は，その部位と向かい合う第２表面に接合していない域を有し，第２表面に接合していない域は第２表面から離れて上方へ移動可能な状態にあるのに対して，引用発明では，第２帯状片１８，第１帯状片１７及び剥離用シート１０がそのような関係になっていない点。
　
　上記相違点について検討する。
　引用刊行物２には，第３セクション７３の内面に接着手段７９が塗布されて第２セクション７２に剥離可能に接合することが記載されており（記載事項（ニ）及び（ホ）参照），この「第３セクション７３」，「第２セクション７２」及び「接着手段７９」は，本願発明の「第１テープ」，「第２テープ」及び「粘着剤」に相当する。引用発明において，第２帯状片１８の内面に粘着剤を塗布して第１帯状片１７に剥離可能に接合することは，引用刊行物２を参酌することにより，当業者が容易になし得たことである。そして，引用発明においてそのように構成を変更すれば，必然的に，第１帯状片１７において第２帯状片１８の内面が剥離可能に接合している部位は，その部位と向かい合う剥離用シート１０に接合していない域を有するものとなる。また，剥離用シート１０に接合していない域が剥離用シート１０から離れて上方へ移動可能な状態にあることは当然の事項に過ぎない。したがって，上記相違点は，引用刊行物２を参酌することにより，当業者が容易になし得たことである。
　なお，本願発明が，上記相違点に係る構成要件を備えることにより，引用発明または引用刊行物２に記載されたものとは異なる格別な作用効果を奏するとはいえない。
　
　以上のことから，本願発明は，引用刊行物１〜２に基づいて当業者が容易に発明できたものである。
　
第６．むすび 
　以上のとおり，本願発明は，引用刊行物１〜２に基づいて当業者が容易に発明できたものであって，特許法第２９条第２項の規定により特許を受けることができないから，本願の他の請求項に係る発明について検討するまでもなく，本願は拒絶されるべきものである。 
　したがって，結論のとおり審決する。